(57)【要約】【課題】キックプレートを、外観を損なうことなく、容易かつ確実に設置する。【解決手段】キックプレート３０を、係止フック３４により、キャップ４０の側面に形成されたスリットに係止させることで、両側のベース脚１１、１１に装着する。  スリットは、ベース脚１１の内部に挿入される筒状部４２に近接して形成されており、プレート部４１は、ベース脚１１を断面視したときの外形寸法とほぼ同寸法であるため、係止フック３４をスリットに係止した部分は、プレート部４１の背後に隠れるようにした。【選択図】図５
2013183796.tif 000002
【特許請求の範囲】
【請求項１】
床面に沿って延び、前記床面上に間隔を隔てて二本一対で設置される中空筒状のベース脚と、
それぞれの前記ベース脚上に設けられて上方に延び、棚板が装着可能とされた支柱と、
互いに隣接する二本の支柱どうしを連結する連結部材と、
互いに隣接する二本のベース脚の先端部間に設けられるキックプレートと、
前記ベース脚の前記先端部の開口を塞ぐキャップと、を備え、
前記キャップは、当該キャップが装着される前記ベース脚と対をなす他方の前記ベース脚に対面する側面に、係止孔が形成され、
前記キックプレートは、その両端部に係止フックがそれぞれ形成され、前記係止フックが前記係止孔に係止されることを特徴とする物品陳列棚。
【請求項２】
前記キャップは、前記ベース脚の先端部の開口を覆うプレート部と、
前記プレート部から延び、前記ベース脚の内部に挿入される筒状部と、
前記筒状部と前記プレート部との間に形成された前記係止孔と、を有することを特徴とする請求項１に記載の物品陳列棚。
【請求項３】
前記係止孔は、前記キャップを前記ベース脚に装着した状態で、側方および上方にも開口していることを特徴とする請求項１または２に記載の物品陳列棚。
【請求項４】
前記プレート部は、前記筒状部よりも外周側に張り出して形成されていることを特徴とする請求項１から３のいずれか一項に記載の物品陳列棚。
【発明の詳細な説明】
【技術分野】
【０００１】
本発明は、店舗等において物品の展示のために設置される物品陳列棚に関する。
【背景技術】
【０００２】
店舗において商品等の物品を展示するための物品陳列棚は、その設置や移動、ディスプレイ方法の変更等を容易に行えるよう、支柱、脚、棚板等からなる組立式のものが多用されている。
【０００３】
このような陳列棚においては、最下段の棚板の下方空間を閉塞するため、キックプレートと称される部材が設けられることがある。
キックプレートは、その両端部が、床面上に設置される一対のベース脚の前端部に連結される。これには、各ベース脚の前端部にスリット状の係止孔が形成され、キックプレートの両端部にそれぞれ形成されたフックを、係止孔に係止させる（例えば、特許文献１参照。）。
【０００４】
ベース脚の前端部の開口に、キャップを装着し、このキャップにキックプレートを係止させることもできる（例えば、特許文献２参照。）。この場合、このキャップに、前面に係止孔を有したものと、係止孔のないものとを用意しておき、キックプレートを備える場合には、係止孔を有したキャップをベース脚に装着して、係止孔にキックプレートの端部を係止させる。そして、キックプレートを備えない場合には、係止孔のないキャップをベース脚に装着する。
【先行技術文献】
【特許文献】
【０００５】
【特許文献１】特許第４０２３６４１号公報
【特許文献２】特許第３４７７６０４号公報
【発明の概要】
【発明が解決しようとする課題】
【０００６】
しかし、上記特許文献１に示された構成では、物品陳列棚にキックプレートを備えない構成とした場合、ベース脚の前端部に係止孔が露出してしまい、外観が損なわれてしまう。
【０００７】
これに対し、特許文献２に示された構成では、キャップを、キックプレートの有無に応じて付け替えることで、キックプレートを備えない場合にもベース脚の前端部に係止孔が露出せず、外観を損なうことがない。しかし、このような構成では、キャップを２種類用意しておかなければならず、手間とコストがかかる。また、部品手配時に、キャップの種類を間違えると、組立現場において、キックプレートが連結できなかったりする、といった不具合が生じることもある。
【０００８】
そこで、例えば、ベース脚の側面に係止孔を形成し、キックプレートの両端部のフックを、前記の係止孔に係止させる構成とすることも考えられる。
しかし、キックプレートの両端部のフックを含んだ幅は、互いに隣接するベース脚の間隔に対して大きいため、陳列棚の組み立て時にはキックプレートの装着が可能なものの、陳列棚の組み立てが完了した後では、キックプレートの装着を行うことができない。
【０００９】
そこでなされた本発明は、キックプレートを、外観を損なうことなく容易かつ確実に設置することのできる物品陳列棚を提供することである。
【課題を解決するための手段】
【００１０】
本発明は、上記課題を解決するため、以下の手段を採用する。
すなわち、本発明の物品陳列棚は、床面に沿って延び、床面上に間隔を隔てて二本一対で設置される中空筒状のベース脚と、それぞれのベース脚上に設けられて上方に延び、棚板が装着可能とされた支柱と、互いに隣接する二本の支柱どうしを連結する連結部材と、互いに隣接する二本のベース脚の先端部間に設けられるキックプレートと、ベース脚の先端部の開口を塞ぐキャップと、を備え、キャップは、当該キャップが装着されるベース脚と対をなす他方のベース脚に対面する側面に、係止孔が形成され、キックプレートは、その両端部に係止フックがそれぞれ形成され、係止フックが係止孔に係止されることを特徴とする。
【００１１】
このように、キャップの側面に係止孔を形成し、この係止孔にキックプレートの係止フックを係止させることで、前面に係止孔を形成することなくキックプレートを取り付けることができる。これにより、外観を損なうことがない。
また、このようなキャップは、キックプレートが無い場合であっても、ベース脚に装着した状態で前面に係止孔がないため、この点においても、外観を損なうことがない。
【００１２】
このようなキャップは、具体的には、キャップは、ベース脚の先端部の開口を覆うプレート部と、プレート部から延び、ベース脚の内部に挿入される筒状部と、筒状部とプレート部との間に形成された係止孔と、を有する構成とすることができる。
【００１３】
ここで、係止孔は、キャップをベース脚に装着した状態で、側方および上方に開口しているようにするのが好ましい。これにより、ベース脚どうしの間隔が固定された状態にあるときにも、キックプレートを上方から下方に移動させながら係止孔に係止フックを挿入すれば、キックプレートの取付を容易に行うことができる。
【００１４】
さらに、プレート部は、筒状部よりも外周側に張り出して形成されているのが好ましい。これによって、係止フックと係止孔の係止部分をプレート部で覆うことができる。
【発明の効果】
【００１５】
本発明によれば、キャップの側面に係止孔を形成し、この係止孔にキックプレートの係止フックを係止させることで、前面に係止孔を形成することなくキックプレートを取り付けることができる。これにより、キックプレートを、外観を損なうことなく、容易かつ確実に設置することができる。
また、一種類のキャップにより、キックプレートの有無にかかわらずベース脚の先端部に装着することができるため、コスト低減を図ることができる。
【図面の簡単な説明】
【００１６】
【図１】本実施形態に係る物品陳列棚の外観を示す斜視図である。
【図２】下部連結部材を示す正面図である。
【図３】上部連結部材を示す正面図である。
【図４】物品陳列棚のベース脚およびキックプレートを示す斜視図である。
【図５】ベース脚およびキックプレートの斜視図である。
【図６】キャップの平面図および正面図である。
【図７】キャップの取り付けパターンを示す図である。
【図８】棚板を取り付けた状態を示す斜視図である。
【発明を実施するための形態】
【００１７】
以下、添付図面を参照して、本発明による物品陳列棚を実施するための最良の形態を説明する。しかし、本発明はこれらの実施例のみに限定されるものではない。
図１に示すように、物品陳列棚１０は、床面に沿って延び、床面上に間隔を隔てて互いに平行に設置される二本一対のベース脚１１と、各ベース脚１１上に設けられて上方に延び、棚板が装着可能とされた二本一対の支柱１２、１２と、互いに隣接する二本の支柱１２、１２の下部どうしを互いに連結する下部連結材（連結部材）１３と、互いに隣接する二本の支柱１２、１２の上部どうしを互いに連結する上部連結材（連結部材）１４と、を備えている。
【００１８】
ベース脚１１は、床面に沿って延びる断面矩形の中空筒状で、その下面１１ａに床面に接地するパッド１５を備えている。
【００１９】
支柱１２は、断面矩形の中空筒状で、その前後面１２ｆ、１２ｒに、棚板等を係止するため、長手方向に所定の間隔をあけて略矩形状の係止孔１６が複数貫通形成されている。ここで、係止孔１６は、支柱の前後面１２ｆ、１２ｒの幅方向に２列に形成されている。これは、支柱１２の幅方向両側に棚板等のオプション部材が係止できるようにするためである。
また、支柱１２は、その両側面１２ａ、１２ｂに、下部連結材１３、上部連結材１４等を係止するため、長手方向に所定の間隔をあけて略矩形状の係止孔１７Ａやスリット１７Ｂが複数貫通形成されている。
【００２０】
図２に示すように、下部連結材１３は、断面矩形の中空筒状をなした連結バー１８と、連結バー１８の両端部に設けられた係止金具１９と、が一体に設けられている。
係止金具１９は、連結バー１８の少なくとも両側面に溶接されたプレート１９ａ，１９ａと、プレート１９ａ、１９ａに突出形成された係止フック１９ｂ、１９ｂと、ベース棚６０の後端部を係止させる係止爪１９ｃ、１９ｃと、を有する。そして、下部連結材１３は、両端に突出形成された係止フック１９ｂ、１９ｂを両側の支柱１２、１２の係止孔１７Ａ、１７Ａに係止させることにより、両側の支柱１２、１２をその下部どうしにおいて互いに連結する。
【００２１】
図３に示すように、上部連結材１４は、断面矩形の筒状をなした連結バー２０と、連結バー２０の両端部に設けられた係止金具２１と、が一体に設けられている。
係止金具２１は、連結バー２０の少なくとも両側面に溶接されたプレート２１ａ，２１ａと、プレート２１ａ、２１ａに突出形成された係止フック２１ｂ、２１ｂと、を有する。そして、上部連結材１４は、両端に突出形成された係止フック２１ｂ、２１ｂを両側の支柱１２、１２のスリット１７Ｂ、１７Ｂに係止させることにより、両側の支柱１２、１２をその上部どうしにおいて互いに連結する。
【００２２】
さて、図４（ａ）、（ｂ）に示すように、このような物品陳列棚１０において、互いに隣接する二本のベース脚１１、１１の先端部１１ｓ、１１ｓ間には、キックプレート３０が架け渡されている。
ここで、キックプレート３０は、ベース脚１１、１１間に設置した状態で、ベース脚１１、１１の上面１１ｂと略同一面をなす上面部３１と、ベース脚１１、１１の下面１１ａと略同一面をなす下面部３２と、上面部３１および下面部３２の間に形成され、床面に直交する前面部３３とからなる断面略Ｃ字状とされている。
【００２３】
図５に示すように、キックプレート３０の両端部には、キックプレート３０をベース脚１１、１１に係止させるための係止フック３４がそれぞれ形成されている。
係止フック３４は、前面部３３に連続して、前面部３３の両側の端部３３ａよりもキックプレート３０の長手方向に突出するプレート部３４ａと、プレート部３４ａの先端部から直交して下方に延びて形成された係止爪３４ｂとからなる。
【００２４】
さて、キックプレート３０の係止フック３４が係止された各ベース脚１１の先端部１１ｓには、先端部１１ｓの開口を塞ぐキャップ４０を装着することができる。図６に示すように、このキャップ４０は、ベース脚１１を断面視したときの外形寸法とほぼ同寸法に形成されたプレート部４１と、このプレート部４１からその表面に直交する方向に延び、ベース脚１１の内部に挿入される筒状部４２と、が一体に形成された構成を有している。これにより、プレート部４１は、筒状部４２よりも外周側に張り出して形成されている。
【００２５】
プレート部４１において、筒状部４２が形成された側には、例えば上下に、ベース脚１１の先端部１１ｓに突き当たる突起４３が形成されている。これにより、キャップ４０は、ベース脚１１に筒状部４２を嵌合させたときに、突起４３，４３がベース脚１１の先端部１１ｓに突き当たることで、ベース脚１１への挿入寸法が規制される。また、突起４３，４３がベース脚１１の先端部１１ｓに突き当たった状態では、筒状部４２のベース脚１１側の端部が、ベース脚１１の先端部１１ｓとプレート部４１との隙間から露出する。
【００２６】
筒状部４２は、プレート部４１の表面に直交する方向に延出し、その基端部側のプレート部４１に近接する位置には、キャップ４０をベース脚１１に装着したときにこのベース脚１１と対をなす他方のベース脚１１に対面する側の側面４２ａ、４２ａに、スリット（係止孔）５０が形成されている。つまり、このスリット５０は、プレート部４１と筒状部４２との間に設けられている。
このスリット５０は、筒状部４２において、ベース脚１１に装着したときに上下を向く面４２ｃ、４２ｄ側が開放端５０ｅとされ、ベース脚１１に装着した状態での上下方向に沿って、一定長連続して形成されている。このスリット５０は、キャップ４０をベース脚１１に装着した状態で、上方にも開口するよう形成されている。
また、筒状部４２の先端部側には、片持ち状に延びる係止レバー４４が形成されている。この係止レバー４４は、ベース脚１１の側面に形成された開口１１ｃに嵌り込むことで、キャップ４０の抜け止めとして機能する。
【００２７】
そして、このようなキャップ４０は、突起４３がベース脚１１の先端部１１ｓに突き当たるまで、筒状部４２がベース脚１１の先端部の内部空間に挿入される。この状態で、ベース脚１１の先端部１１ｓとプレート部４１との間に、スリット５０が露出するようになっている。
そして、このスリット５０に、係止フック３４が係止されることで、キックプレート３０がベース脚１１，１１に連結される。
【００２８】
また、図７に示すように、このキャップ４０は、ベース脚１１に対し、上下を反転させた、プレート部４１の一端部４１ａを上方に位置させた状態と、他端部４１ｂを上方に位置させた状態とで、それぞれ装着可能となっている。
そして、図７（ａ）に示すように、プレート部４１の一端部４１ａを上方に位置させた状態では、この一端部４１ａに、ベース脚１１の上面１１ｂよりも上方に延びる一対の爪部材４５，４５が突出形成されている。図８に示すように、他端部４１ｂを上方に向けた状態では、この爪部材４５、４５の間に、ベース棚６０の端部６０ａ、６０ａを差し込むことができるようになっている。
また、図７（ｂ）に示すように、プレート部４１の他端部４１ｂを上方に位置させた状態では、一端部４１ａは、ベース脚１１の上面１１ｂと略同一面に位置するよう形成されている。
【００２９】
上述したような構成によれば、キャップ４０の側面にスリット５０が形成されているので、キックプレート３０を、係止フック３４によりスリット５０に係止されることで、両側のベース脚１１、１１に装着される。これにより、ベース脚１１の前端面や側面に係止孔を形成することなく、キックプレート３０を連結することができる。これにより、外観を向上させることができる。
さらに、スリット５０は、ベース脚１１の内部に挿入される筒状部４２に近接して形成されており、プレート部４１は、ベース脚１１を断面視したときの外形寸法とほぼ同寸法であるため、係止フック３４をスリット５０に係止した部分は、プレート部４１の背後に隠れ、この点においても外観を優れたものとすることができる。
【００３０】
また、このようなスリット５０にキックプレート３０を係止するには、上方からキックプレート３０を下ろせばよい。したがって、物品陳列棚１０の組み立て後、使用中であっても容易にキックプレート３０の着脱が行える。
【００３１】
さらに、スリット５０を有したキャップ４０は、樹脂成形により形成することができ、その製造時に、スリット５０がない場合に比較して工数が増加することもない。これに対し、鋼製のベース脚１１に孔やスリットを形成する場合、工数が増加する。したがって、製造工程で製造コストが増加することもなく、低コストで上記効果を得ることができる。
【００３２】
（その他の実施形態）
なお、本発明の物品陳列棚は、図面を参照して説明した上述の各実施形態に限定されるものではなく、その技術的範囲において様々な変形例が考えられる。
例えば、スリット５０は、キャップ４０の側面に形成されているのであれば、プレート部４１の背面側の筒状部４２ではなく、プレート部４１の側面に形成するようにしても良い。
例えば、支柱１２には、棚板に限らず、他の様々なオプション部品を装着することができる。
また、上記実施形態では、物品陳列棚１０は、二本の支柱１２，１２のみを備える構成としたが、三本以上の支柱１２を併設し、互いに隣接する二本の支柱１２、１２間を下部連結材１３、上部連結材１４で連結して棚板を設けるようにしても良い。
これ以外にも、本発明の主旨を逸脱しない限り、上記実施の形態で挙げた構成を取捨選択したり、他の構成に適宜変更することが可能である。
【符号の説明】
【００３３】
１０  物品陳列棚
１１  ベース脚
１１ｓ      先端部
１２  支柱
１３  下部連結材（連結部材）
１４  上部連結材（連結部材）
３０  キックプレート
３１  上面部
３２  下面部
３３  前面部
３４  係止フック
４０  キャップ
４１  プレート部
４２  筒状部
４３  突起
４４  係止レバー
５０  スリット（係止孔）
【図１】
2013183796.tif 000003
【図２】
2013183796.tif 000004
【図３】
2013183796.tif 000005
【図４】
2013183796.tif 000006
【図５】
2013183796.tif 000007
【図６】
2013183796.tif 000008
【図７】
2013183796.tif 000009
【図８】
2013183796.tif 000010